(57)【要約】      （修正有）【課題】モルタル壁の表面に建築部材を配置し、建築部材の表面から建築部材とモルタル壁とを貫通して建築部材を躯体に固定するための建築部材取付用ビスならびにこれを用いた建築部材の取付構造であって、予め下穴を設ける必要がなくて施工の手間を軽減することができ、しかもねじ込みやすい建築部材取付用ビス並びにこれを用いた建築部材の施工構造を提供する。【解決手段】建築部材取付用ビスＡは、頭部５と、ねじ部１を有する軸部２と、軸部２の先端に設けたドリル部３とを有し、頭部５とねじ部１の間には建築部材とは螺合しないねじ無し部７が形成されていて、ねじ部１の外径Ｗ１よりも大きな穴を建築部材のみに形成するためのリーマ片４をドリル部３に突設し、リーマ片４はモルタル壁に当たって切除されるように形成されていて、ドリル部３は先端に向かって先細となっていて、ドリル部先端は丸く形成されている。【選択図】図１
2013068271.tif 000002
【特許請求の範囲】
【請求項１】
モルタル壁を貫通して建築部材を躯体に固定するための建築部材取付用ビスであって、
頭部と、ねじ部を有する軸部と、前記軸部の先端に設けたドリル部とを有し、
前記頭部と前記ねじ部の間には建築部材とは螺合しないねじ無し部が形成されていて、
ねじ部の外径よりも大きな穴を建築部材のみに形成するためのリーマ片を前記ドリル部に突設し、前記リーマ片はモルタル壁に当たって切除されるように形成されていて、
前記ドリル部は先端に向かって先細となっていて、前記ドリル部の先端が丸く形成されていることを特徴とする建築部材取付用ビス。
【請求項２】
ドリル部の先端角が鋭角であることを特徴とする請求項１に記載の建築部材取付用ビス。
【請求項３】
モルタル壁と建築部材の厚み寸法に応じて、ねじ無し部と頭部の長さを設定してなることを特徴とする請求項１又は２に記載の建築部材取付用ビス。
【請求項４】
ドリル部がモルタル壁を貫通した後にねじ部が躯体に導入されるように、前記ねじ部と前記ドリル部の長さを設定してなることを特徴とする請求項１から３に記載の建築部材取付用ビス。
【請求項５】
モルタル壁の表面に建築部材を配置し、建築部材の表面から建築部材とモルタル壁とを貫通するように建築部材取付用ビスをねじ込んで建築部材を躯体に固定する建築部材の取付構造であって、
建築部材取付用ビスは、頭部とねじ部を有する軸部と前記軸部の先端に設けたドリル部とを有し、前記ドリル部は先端に向かって先細で前記ドリル部の先端は丸く形成されていて、前記頭部と前記ねじ部の間には前記建築部材とは螺合しないねじ無し部が形成されていて、前記ねじ部の外径よりも大きな穴を前記建築部材のみに形成するためのリーマ片が前記ドリル部に突設されていて、前記建築部材を貫通した後に前記リーマ片が前記モルタル壁に当たって切除されて、前記リーマ片が切除されたドリル部によって前記モルタル壁を貫通し、前記ねじ部は前記建築部材とは螺合せずに前記躯体に螺合してなることを特徴とする建築部材の取付構造。
【請求項６】
ドリル部の先端角が鋭角であることを特徴とする請求項５に記載の建築部材の取付構造。
【発明の詳細な説明】
【技術分野】
【０００１】
本発明は、建築部材を取り付けるための建築部材取付用ビス並びに建築部材の取付構造に関するものであり、特に、モルタル壁の改修に好適に使用することができるものであって、新たに取り付ける外壁材の下地に使用される胴縁等の建築部材をモルタル壁の外側に配置し、モルタル壁を貫通して建築部材を建物の躯体に固定する際に好適に使用することができる。
【背景技術】
【０００２】
従来より、モルタル壁の改修において、新たに取り付ける外壁材の下地として使用される胴縁等の建築部材をモルタル壁の外側に配置し、モルタル壁を貫通して建物の躯体にコーススレッド等の固定具で該建築部材を固定する方法が知られている。
【０００３】
上記従来の方法では、図４、図５に示すような一般的に流通しているコーススレッドＢを固定具として使用することが一般的に行われている。コーススレッドＢはねじ山１６が高く、ねじピッチも粗いため、相手材に深く食い込み保持力が高いという特徴がある。しかしながら、コーススレッドＢは軸部の先端までねじ部１が形成されていて、さらにねじ部先端１ｄに形成されるねじ部の先端角１ｅが鋭角となっているので、木質材料のような柔らかい材料からなる建築部材１３にはねじ部先端１ｄは容易にねじ込まれて行くものの、モルタルのような硬くて脆い材料からなるモルタル壁１２には、図６に示すように、ねじ部先端１ｄが建築部材１３を貫通してモルタル壁１２の表面に到達した時点で、ねじ部先端１ｄがモルタル壁１２にくい込まれて、ねじ山１６がモルタル壁１２を穿孔してねじ込まれていくことは困難であった。一方、モルタル壁が柔らかく形成されている場合にあっては、ねじ部先端１ｄがモルタル壁１２にくい込んで、ねじ山１６がモルタル壁１２にねじ込まれることが出来ることもあるが、モルタル壁１２は建築部材１３よりも硬くて脆いので、躯体１０にコーススレッドＢが過剰にねじ込まれることにより建築部材１３がモルタル壁１２から浮き上がるというトラブルが発生しやすかった。
【０００４】
そこで、従来から図７（ａ）から図７（ｂ）に示すように、コーススレッドＢをねじ込む前に、コーススレッドＢのねじ無し部の直径Ｗ３よりも細い外径のドリルで、前もって建築部材１３とモルタル壁１２とモルタル下地１１に下穴１４を形成した後に（図７（ａ）参照）、モルタル壁１２の裏側に存在する躯体１０にコーススレッドＢをねじ込むことによって、建築部材１３をモルタル壁１２の表面に固定する方法が行われている。しかしながら、上記方法では、コーススレッドＢをねじ込む前に下穴１４を形成しなければならず２度手間となっており、さらに、建築部材１３とモルタル壁１２に形成した下穴１４の位置を合わせながら、コーススレッドＢをねじ込まなければならないので、手間がかかり施工性が悪かった。
【０００５】
さらに、コーススレッドＢと躯体１０との保持力を落とさないためには、下穴１４を形成するためのドリルが躯体１０の表面に到達する前に、下穴１４の形成を止めなければならないが（図７（ａ）参照）、モルタル壁の厚さＬ２やモルタル下地の厚さＬ３の記録が残されていることは少なく、作業者の感覚に頼って下穴１４が躯体１０の表面に到達しないようにする必要があり、作業性が悪かった。
【０００６】
しかも、コーススレッドＢの特徴として、ねじ山１６が高くねじピッチも粗いため、相手材に深く食い込み保持力が高い。そのためコーススレッドＢのねじ山１６が建築部材１３とモルタル壁１２さらにモルタル下地１１に形成された下穴１４を通る際に、コーススレッドＢが建築部材１３とモルタル壁１２とモルタル下地１１にねじ込まれながら躯体１０に到達することになり、コーススレッドＢと建築部材１３やモルタル壁１２やモルタル下地１１との摩擦が大きくなり、ねじ込みにくいという問題があった。
【０００７】
ところで、下穴を設けなくても壁面の表面に出隅役物などの建材を確実容易に取り付ける建材用ビス及び建材の留付方法（例えば特許文献１参照）や、予め下穴を設ける必要がなくて施工の手間を軽減でき、しかもねじ込みやすい建築部材取付用ビス及び建築部材の取付構造（例えば特許文献２参照）が提案されている。しかしながら、これらの先行技術によれば、下穴を開けることなく出隅役物や建築部材を外壁材や金属パネルに固定できるものの、新たに取り付ける外壁材の下地に使用される胴縁等の建築部材をモルタル壁の外側に配置し、モルタル壁を貫通して建築部材を建物の躯体に固定するというモルタル壁の改修に適用することは困難であった。
【先行技術文献】
【特許文献】
【０００８】
【特許文献１】特開２００３−３０６９７８号公報
【特許文献２】特開２００８−０３２１３３号公報
【発明の概要】
【発明が解決しようとする課題】
【０００９】
本発明は、上記の点に鑑みてなされたものであり、モルタル壁の表面に建築部材を配置し、建築部材の表面から建築部材を貫通するように建築部材を躯体に固定するための建築部材取付用ビスならびにこれを用いた建築部材の取付構造であって、予め下穴を設ける必要がなくて施工の手間を軽減することができ、しかもねじ込みやすい建築部材取付用ビス並びにこれを用いた建築部材の施工構造を提供することを目的とするものである。
【課題を解決するための手段】
【００１０】
本発明の請求項１に係る建築部材取付用ビスは、モルタル壁を貫通して建築部材を躯体に固定するための建築部材取付用ビスであって、頭部と、ねじ部を有する軸部と、前記軸部の先端に設けたドリル部とを有し、前記頭部と前記ねじ部の間には建築部材とは螺合しないねじ無し部が形成されていて、ねじ部の外径よりも大きな穴を建築部材のみに形成するためのリーマ片を前記ドリル部に突設し、前記リーマ片はモルタル壁に当たって切除されるように形成されていて、前記ドリル部は先端に向かって先細となっていて、前記ドリル部の先端が丸く形成されていることを特徴とする。
【００１１】
本発明の請求項２に係る建築部材取付用ビスは、請求項１に加えて、ドリル部の先端角が鋭角であることを特徴とする。
【００１２】
本発明の請求項３に係る建築部材取付用ビスは、請求項１又は２に加えて、モルタル壁と建築部材の厚み寸法に応じて、ねじ無し部と頭部の長さを設定してなることを特徴とする。
【００１３】
本発明の請求項４に係る建築部材取付用ビスは、請求項１から３に加えて、ドリル部がモルタル壁を貫通した後にねじ部が躯体に導入されるように、前記ねじ部と前記ドリル部の長さを設定してなることを特徴とする。
【００１４】
本発明の請求項５に係る建築部材の取付構造は、モルタル壁の表面に建築部材を配置し、建築部材の表面から建築部材とモルタル壁とを貫通するように建築部材取付用ビスをねじ込んで建築部材を躯体に固定する建築部材の取付構造であって、建築部材取付用ビスは、頭部とねじ部を有する軸部と前記軸部の先端に設けたドリル部とを有し、前記ドリル部は先端に向かって先細で前記ドリル部の先端は丸く形成されていて、前記頭部と前記ねじ部の間には前記建築部材とは螺合しないねじ無し部が形成されていて、前記ねじ部の外径よりも大きな穴を前記建築部材のみに形成するためのリーマ片が前記ドリル部に突設されていて、前記建築部材を貫通した後に前記リーマ片が前記モルタル壁に当たって切除されて、前記リーマ片が切除されたドリル部によって前記モルタル壁を貫通し、前記ねじ部は前記建築部材とは螺合せずに前記躯体に螺合してなることを特徴とする。
【００１５】
本発明の請求項６に係る建築部材の取付構造は、請求項５に加えて、ドリル部の先端角が鋭角であることを特徴とする。
【発明の効果】
【００１６】
本発明の請求項１に係るビスでは、軸部の先端に設けたドリル部が先端にむかって先細になっていて、さらにドリル部先端は丸く形成されているので、ドリル部先端が建築部材、モルタル壁、モルタル下地さらに躯体を穿孔しながらねじ込むことができる。したがって、予め下穴を建築部材とモルタル壁とモルタル下地とに設ける必要が無い。しかも、ドリル部に突設されたリーマ片によりねじ部の外径よりも大きなリーマ穴を建築部材のみに形成した後に、リーマ片がモルタル壁の表面に当たってリーマ片がドリル部より切除されるので、ねじ部とねじ無し部は建築部材に形成されたリーマ穴と接触することがない、したがって、ドリル部がモルタル壁、モルタル下地、躯体を穿孔してねじ込まれて行く時も建築部材がモルタル壁の表面から浮き上がることがなく、施工にかかる手間を低減させる。
【００１７】
本発明の請求項２に係る建築部材取付用ビスでは、特に、木質からなる建築部材、硬くて脆いモルタル壁、木質からなる躯体のように、柔らかい材質と硬い材質が交互に配置された壁において、ドリル部先端が建築部材、モルタル壁、モルタル下地さらに躯体を穿孔しながら容易にねじ込まれる。
【００１８】
本発明の請求項３に係る建築部材取付用ビスでは、躯体にねじ込まれた後、必要以上にねじ込み続ける必要性がない。
【００１９】
本発明の請求項４に係る建築部材取付用ビスでは、ねじ部が建築部材とモルタル壁に螺合せずに躯体に螺合する。
【００２０】
本発明の請求項５に係る建築部材の取付構造では、建築部材取付用ビスの全長が長いにも拘わらずドリル部の先端が建築部材に入り込む時にぐらつくことが無い。さらにドリル部の先端がモルタル壁に入り込む時点で、ドリル部の先端がモルタル壁にくい込まずに空回りすることも発生しない。したがって軸部の先端に設けたドリル部で建築部材とモルタル壁と躯体を穿孔しながらねじ込むことができ、予め下穴を建築部材とモルタル壁と躯体に設ける必要が無くなり、施工にかかる手間を軽減することができる。しかも、リーマ片がモルタル壁にあたることにより切除されるので、リーマ片が建築部材に形成したリーマ穴にねじ部を通過させることによって、ねじ部と建築部材との摩擦を小さくすることができ、ねじ込みやすくなる。さらにねじ部が躯体にねじ込まれる段階で建築部材が浮き上がることも発生しない。
【図面の簡単な説明】
【００２１】
【図１】本発明の建築部材取付用ビスを示す正面図。
【図２】図１のドリル部の拡大図であって、（ａ）は正面図、（ｂ）はビスの先端から見たＰ−Ｐ断面図、（ｃ）は図（ｂ）のリーマ片が除去された後の状態を示す図。
【図３】本発明の建築部材用取付ビスによる建築部材の取付構造の実施の形態の一例を示す断面図。（ａ）ドリル部の先端が建築部材を穿孔し始めた状態を示す図。（ｂ）リーマ片が建築部材を穿孔する状態を示す図。（ｃ）ドリル部の先端がモルタル壁に到達し、モルタル壁を穿孔し始めた状態を示す図。（ｄ）リーマ片がモルタル壁に到達してリーマ片が切除された状態を示す図。（ｅ）ドリル部の先端が躯体に到達し、躯体を穿孔し始めた状態を示す図。（ｆ）ねじ部が躯体と螺合して、頭部が建築部材に嵌入した状態を示す図。
【図４】従来例のコーススレッドを示す正面図。
【図５】図４のコーススレッドの先端の拡大図。
【図６】従来例のコーススレッドによる建築部材の取付構造の実施の形態を示す断面図。
【図７】従来例のコーススレッドによる建築部材の取付構造の実施の形態の他の例を示す断面図。（ａ）下穴を建築部材とモルタル壁に穿孔した状態を示す図。（ｂ）下穴にコーススレッドのねじ部の先端を合わせて、ねじ部の先端が建築部材を穿孔し始めた状態を示す図。（ｃ）ねじ部が下穴を介して建築部材と螺合する状態を示す図。（ｄ）ねじ部が下穴を介してモルタル壁と螺合する状態を示す図。（ｅ）ねじ部の先端が躯体に到達し、躯体を穿孔し始めた状態を示す図。（ｆ）ねじ部が躯体と螺合して、頭部が建築部材に嵌入した状態を示す図。
【図８】比較例の建築部材取付用ビスを示す正面図。
【図９】図８の比較例の建築部材取付用ビスの先端部の拡大図。
【図１０】比較例の建築部材取付用ビスによる建築部材の取付構造の実施の形態を示す断面図。
【発明を実施するための形態】
【００２２】
以下、本発明を実施するための最良の形態を説明する。
【００２３】
図１に本発明のビスとして建築部材取付用ビスＡを示す。この建築部材取付用ビスＡはステンレス鋼などの金属材料で形成されるものであって、頭部５と、ねじ部１を有する軸部と軸部２の先端に突設したドリル部３とを備えている。そして頭部５とねじ部１の間には建築部材１３とは螺合しないねじ無し部７が形成されている。軸部２は丸棒状に形成されており、その周面（外周面）の一部にねじ部１として雄ねじが形成されている。さらに、ドリル部３とねじ部１との境界のドリル部３の周面には一対の薄片のリーマ片４が突設されている。また、頭部５は逆円錐台の形状に形成されており、その最も広い部分の直径Ｗ２は一対のリーマ片４、４の先端間の距離であるリーマ片４の外径Ｗ４よりも大きく形成されている。なお、頭部５にフレキ部６が形成されていると頭部５が建築部材１３に入り込み易くなるので、頭部５が建築部材１３の表面から出っ張ることがなくなるので好ましい。なお、ねじ部１およびねじ無し部７の位置や長さは後述のモルタル壁１２の厚さや建築部材１３の厚さなどに応じて設定されている。
【００２４】
図２に本発明の建築部材取付用ビスＡのドリル部３の拡大図を示す。ここで、（ａ）は正面図、（ｂ）はビスの先端から見たＰ−Ｐ断面図、（ｃ）は図（ｂ）のリーマ片４が除去された後の状態を示すＰ−Ｐ断面図である。
【００２５】
ドリル部３は建築部材取付用ビスＡの先端に向かって先細となっていて、さらに、ドリル部先端３ｄは丸く形成されている。ドリル部の外径Ｗ６はねじ無し部の直径Ｗ３とは略同じ長さであって、ドリル部３の周面（外周面）には切削面３ｃが設けられている。切削面３ｃはリーマ片４の付け根に形成されていて、建築部材取付用ビスＡの先端から見て軸部２の中心を基点にしてドリル部Ａ３ａとドリル部Ｂ３ｂは点対称となっている。このドリル部Ａ３ａとドリル部Ｂ３ｂからなるズレによって、切削面の幅Ｗ５からなる切削面３ｃが構成されている。リーマ片の外径Ｗ４は、ねじ部の外径Ｗ１及びドリル部の外径Ｗ６、ねじ無し部の直径Ｗ３よりも大きい。
【００２６】
図３（ａ）〜図３（ｆ）に上記の建築部材取付用ビスＡを用いて建築部材１３をモルタル壁１２の表面（屋外側の面）に取り付ける構造を、建築部材取付用ビスＡがねじ込まれていく順序にしたがって示す。ここで、モルタル壁１２は建物の躯体１０に固定されたモルタル下地１１の表面に施工されている。本実施例のモルタル壁１２はセメントと細骨材と水を練り混ぜたモルタルをモルタル下地１１の表面に形成されている。図３ではモルタル下地１１としてモルタル下地用のボードを用いている例を示しているが、これらに限定されるものではなく、木材にラスを張り上げたモルタル下地等、他のモルタル下地を使用することができる。モルタル壁１２の態様としては、スノコ状に打ち付けた板の上に「ラス紙」とよばれる防水シートを張って，その上から「タッカー」とよばれる大きなホチキスのような釘で「ラス網」とよばれる金網を止めたモルタル下地や、スノコ状に打ち付けた板の代わりに大判の合板を張ったモルタル下地、あるいは、表面がギザギザに防水加工されている「ラスカット」といわれる板のような「ラス網」が無いモルタル下地などのモルタル下地を使用することができる。このモルタル下地１１の表面にモルタルを２〜３回コテで撫で付け，その上に吹付塗装を施してモルタル壁１２が形成される。
【００２７】
建築部材１３は既存のモルタル壁１２の改修のために新たに張り上げる外壁材の下地として使用される胴縁として用いるものであって、木製の角材などから形成されている。前記建築部材１３は木材以外でも、例えば樹脂胴縁のように釘、ビスの保持力のある材料であればどのような材料でも使用することが出来る。躯体１０は建物の構造部材であって、木製の角材で形成されている。
【００２８】
モルタル壁１２の表面に建築部材１３を取り付けるにあたっては、まず、躯体１０と対向する位置において、建築部材１３をモルタル壁１２の表面（屋外側の面）に接触させて配置し、建築部材１３の表面（屋外側の面）から上記の建築部材取付用ビスＡをねじ込んで螺入していく。このとき、建築部材取付用ビスＡは、そのドリル部３で建築部材１３、モルタル壁１２、モルタル下地１１および躯体１０を穿孔しながら螺進していく。
【００２９】
本実施例で建築部材取付用ビスＡは、図３（ａ）に示すように例えば木材のような材料からなる建築部材１３の表面を穿孔し、続いて図３（ｃ）に示すように硬くて脆い材料であるモルタルからなるモルタル壁１２の表面を穿孔し、そして図３（ｅ）に示すように木製の角材からなる躯体１０の表面を穿孔していくのであるが、図２で示すように、建築部材取付用ビスＡのドリル部３は先端に向かって先細となっていて、さらに、ドリル部先端３ｄは丸く形成されているので、材質が大きく異なる材料からなる建築部材１３と既存のモルタル壁１２と躯体１０の組合せであっても容易に穿孔することができる。さらにドリル部の先端角３ｅが鋭角であれば、回転に打撃構造が加わった振動ドリルを使用しても、ドリル部先端３ｄが木材のような材料からなる建築部材の表面を容易に穿孔し始めるので、建築部材取付用ビスＡの頭部５とドリル部先端３ｄまでの距離が長くても、打撃の衝撃によってドリル部先端３ｄを支点にして建築部材取付ビスが倒れてしまうようなことが発生せず好ましい。
【００３０】
したがって、建築部材取付用ビスＡをねじ込む前に、予め建築部材１３、モルタル壁１２、モルタル下地１１に対して下穴１４をあけておく必要が無く、さらに、下穴１４の位置合わせをする必要もないので施工にかかる手間を軽減することができる。
【００３１】
本実施例の建築部材取付用ビスＡのドリル部３にはリーマ片４が形成されている。図３（ｂ）に示すように、リーマ片４は建築部材１３に対してのみにねじ部の外径Ｗ１よりも大きいリーマ穴１５を形成する。ところで、リーマ片４の材質と強度はモルタル壁１２に当たると切除されるようになっているので、図３（ｃ）図３（ｄ）に示すようにモルタル壁１２にリーマ片４が当たった段階でリーマ片４はドリル部３から切除される。しかしながらリーマ片４が切除された後であってもドリル部３の切削面３ｃは残っている。（図２（ｂ）、図２（ｃ）参照）
建築部材取付用ビスＡの頭部５とねじ部１の間には、建築部材１３とは螺合しないねじ無し部７が形成されている。建築部材１３に形成されたリーマ穴の径Ｄ２はねじ無し部の直径Ｗ３よりも大きいので、図３（ｅ）から図３（ｆ）に示すように、建築部材取付用ビスＡがモルタル壁１２とモルタル下地１１さらに躯体１０にねじ込まれていく段階で、ねじ無し部７と建築部材１３との間に隙間ができているので余分な抵抗がなく容易に建築部材取付用ビスＡをねじこむことが出来る。さらに、建築部材取付用ビスＡが躯体１０にねじ込まれた後に、惰性でさらに建築部材取付用ビスＡが躯体１０にねじ込まれていったとしても、ねじ無し部７と建築部材１３との間に隙間があるので、建築部材１３がモルタル壁１２の表面から浮き上がることが防止される。
【００３２】
頭部の長さＬ６とねじ無し部の長さＬ４を合わせた長さは、建築部材の厚さＬ１とモルタル壁の厚さＬ２を合わせた長さよりも長い方が好ましい。またねじ無し部の直径Ｗ３はねじ部の外径Ｗ１よりも小さい。したがって建築部材取付用ビスＡが躯体１０にねじ込まれていく段階でねじ無し部７とモルタル壁１２との間が密着することがないので余分な抵抗がなく容易に建築部材取付用ビスＡを躯体１０にねじこむことが出来る。さらに、建築部材取付用ビスＡが躯体１０に過剰にねじ込まれた場合でも、ねじ無し部７と建築部材１３との間に隙間があり、さらにねじ無し部７とモルタル壁１２の間が密着していないので、建築部材１３がモルタル壁１２から浮き上がることをさらに防止する。
【００３３】
ねじ部１は、建築部材取付用ビスＡを躯体１０に螺合した際に、躯体１０と螺合している部分に形成されている。そして、新たに張り上げる外壁板の下地として使用される建築部材１３を躯体１０に固定するための保持力を維持するために、新たに張り上げる外壁板の厚さが１６ｍｍで建築部材１３の厚さＬ１が１５ｍｍ以上の場合、ねじ部の長さＬ５は２５ｍｍ以上であることが好ましい。したがって、本発明の建築部材取付用ビスＡの好ましい全長Ｌ０は、ねじ部の長さＬ５とドリル部の長さＬ７と建築部材の厚さＬ１とモルタル壁の厚さＬ２を合算した長さよりも大きく、ねじ部の長さＬ５は２５ｍｍ以上となる。
【００３４】
Ｌ０＞Ｌ５＋Ｌ７＋Ｌ１＋Ｌ２、Ｌ５≧２５
【００３５】
図８から図１０は比較例の建築部材取付用ビスＣを示す図であって、本発明の建築部材取付用ビスＡとはドリル部先端３ｄの形状とドリル部の先端角３ｅが本発明とは異なっている。図８，図９に示すように、比較例の建築部材取付用ビスＣは、ドリル部先端３ｄが先細ではなく、さらに丸くなっていない。さらに、ドリル部３の先端角３ｅは鈍角となっている。
【００３６】
ところで、モルタル壁１２のような表面が硬くて脆い材料に対してドリルビスのようなビスをねじ込むために使用される電気ドリルは、回転ドリルではなく回転に打撃構造が加わった振動ドリル、あるいはインパクトドリルを使用することが一般的である。
【００３７】
比較例の建築部材取付用ビスＣの場合、最初に建築部材１３を穿孔し始める時点で、建築部材１３が木材のような材料であったとしても、ドリル部先端３ｄが鈍角であるがために建築部材１３を穿孔し始めることが容易ではない。そのため建築部材１３の表面に対して垂直に比較例の建築部材取付ビスをセットしても（図１０のＣ１）、頭部５とドリル部先端３ｄまでの距離が長いので、回転に打撃構造が加わった振動ドリルでは打撃の衝撃でドリル部先端３ｄを支点にして比較例の建築部材取付用ビスＣは倒れてしまい非常に危険である（図１０のＣ２）。したがって、比較例の建築部材取付用ビスＣの場合も下穴１４を開ける、あるいはポンチ等で位置決めの凹みを形成する必要がある。あるいは最初は回転ドリルを使用し、その後モルタル壁１２の表面にドリル部先端３ｄが到達した時点で振動ドリルに変更するなどの工夫が必要であり、施工性が悪い。
【００３８】
この出願の発明は、以上述べた実施例に限定されるものではなく、細部については様々な態様が可能である。
【符号の説明】
【００３９】
１  ねじ部
１ｄ  ねじ部先端
１ｅ  ねじ部の先端角
２  軸部
３  ドリル部
３ａ  ドリル部ａ
３ｂ  ドリル部ｂ
３ｃ  切削面
３ｄ  ドリル部先端
３ｅ  ドリル部の先端角
４  リーマ片
５  頭部
６  フレキ部
７  ねじ無し部
９  穴
１０  躯体
１１  モルタル下地
１２  モルタル壁
１３  建築部材
１４  下穴
１５  リーマ穴
１６  ねじ山
Ｗ１  ねじ部の外径
Ｗ２  頭部の直径
Ｗ３  ねじ無し部の直径
Ｗ４  リーマ片の外径
Ｗ５  切削面の幅
Ｗ６  ドリル部の外径
Ｄ１  下穴の径
Ｄ２  リーマ穴の径
Ｌ０  ビスの全長
Ｌ１  建築部材の厚さ
Ｌ２  モルタル壁の厚さ
Ｌ３  モルタル下地の厚さ
Ｌ４  ねじ無し部の長さ
Ｌ５  ねじ部の長さ
Ｌ６  頭部の長さ
Ｌ７  ドリル部の長さ
Ａ  建築部材取付用ビス
Ｂ  コーススレッド
Ｃ  比較例の建築部材取付用ビス
Ｃ１  切削開始前の比較例の建築部材取付用ビス
Ｃ２  切削開始後の比較例の建築部材取付用ビス
【図１】
2013068271.tif 000003
【図２】
2013068271.tif 000004
【図３】
2013068271.tif 000005
【図４】
2013068271.tif 000006
【図５】
2013068271.tif 000007
【図６】
2013068271.tif 000008
【図７】
2013068271.tif 000009
【図８】
2013068271.tif 000010
【図９】
2013068271.tif 000011
【図１０】
2013068271.tif 000012